【事件の表示】
　特願２００９−１９８７７１「データ保存システム」拒絶査定不服審判事件〔平成２３年　３月１０日出願公開，特開２０１１−　５０００２〕について，次のとおり審決する。
【結　論】
　本件審判の請求は，成り立たない。
【理　由】
第１　手続の経緯
　本願は，平成２１年８月２８日の出願であって，その手続の経緯は以下のとおりである。
　平成２４年　７月１２日　審査請求
　平成２４年１１月１２日　拒絶理由通知
　平成２５年　１月１１日　意見書・手続補正書
　平成２５年　５月　１日　拒絶理由通知（最後）
　平成２５年　６月１２日　意見書・手続補正書
　平成２５年１１月２６日　補正却下の決定・拒絶査定
（平成２５年６月１２日付け手続補正書でした手続補正を却下する。この出願については平成２５年５月１日付け拒絶理由通知に記載した理由により，拒絶すべきものである。）
　平成２６年　１月２１日　審判請求・手続補正書
　平成２６年　３月２６日　前置報告書
　
第２　補正の却下の決定
［補正却下の決定の結論］
　平成２６年１月２１日付けの手続補正（以下「本件補正」という。）を却下する。
［理由］
１　本件補正の内容
　本件補正は，特許請求の範囲及び明細書を補正するものであって，特許請求の範囲の請求項７については，本件補正の前後で以下のとおりである。  
　・補正前
　「【請求項７】
　通信装置に電力を供給する充電装置用充電端子と，
　前記充電装置用充電端子に入力されたデータを記憶する記憶回路と，
　前記充電装置用充電端子が前記通信装置の通信装置用充電端子に接続されたことを契機に，前記充電装置用充電端子を介して前記通信装置に電力を供給するとともに，前記充電装置用充電端子に入力されたデータを前記記憶回路に記憶させる充電制御回路と，
　を備え，
　前記充電制御回路は，
　前記通信装置から特定の音楽データ若しくは画像データの読出要求信号を取得すると，要求のあった前記特定の音楽データ若しくは画像データを前記通信装置が視聴可能になるように，前記記憶回路から読み出して前記充電装置用充電端子に出力する
ことを特徴とする充電装置。」
　・補正後
　「【請求項７】
　通信装置に電力を供給する充電装置用充電端子と，
　前記充電装置用充電端子に入力されたデータ配信サービスを用いてダウンロードされた予め定められた音楽データ若しくは画像データを記憶する記憶回路と，
　前記充電装置用充電端子が前記通信装置の通信装置用充電端子に接続されたことを契機に，前記充電装置用充電端子を介して前記通信装置に電力を供給するとともに，前記充電装置用充電端子に入力されたデータを前記記憶回路に記憶させる充電制御回路と，
　を備え，
　前記充電制御回路は，
　前記通信装置から特定の音楽データ若しくは画像データの読出要求信号を取得すると，要求のあった前記特定の音楽データ若しくは画像データを前記通信装置が視聴可能になるように，前記記憶回路から読み出して前記充電装置用充電端子に出力する
ことを特徴とする充電装置。」
　
２　補正事項の整理
　本件補正による特許請求の範囲の請求項７についての補正を整理すると次のとおりとなる。（当審注．下線は補正箇所を示し，当審で付加したもの。） 
　・補正事項
　補正前の請求項７の「前記充電装置用充電端子に入力されたデータを記憶する記憶回路」を，「前記充電装置用充電端子に入力された
データ配信サービスを用いてダウンロードされた予め定められた音楽データ若しくは画像
　
３　補正の適否について
　本願の願書に最初に添付した明細書の段落【００４２】及び【００５４】の記載から，補正事項は本願の願書に最初に添付した明細書，特許請求の範囲又は図面に記載された事項の範囲内においてされたものであることは明らかであるので，補正事項は，特許法第１７条の２第３項の規定に適合する。
　そして，補正事項は，補正前の請求項７における「前記充電装置用充電端子に入力されたデータを記憶する記憶回路」を，「前記充電装置用充電端子に入力されたデータ配信サービスを用いてダウンロードされた予め定められた音楽データ若しくは画像データを記憶する記憶回路」と技術的に限定するもので，補正前の請求項７に記載された発明特定事項を限定的に減縮するから，特許法第１７条の２第４項の規定に適合することは明らかであり，また，同法第１７条の２第５項第２号に掲げる特許請求の範囲の減縮を目的とするものに該当する。 
 　
４　独立特許要件についての検討 
（１）検討の前提
　上記３で検討したとおり，本件補正による請求項７についての補正事項は，特許法第１７条の２第５項第２号に掲げる，特許請求の範囲の減縮を目的とするものに該当するから，本件補正後の請求項７に記載された事項により特定される発明が，特許出願の際独立して特許を受けることができるものであるか否かにつき，更に検討する。
　
（２）本願補正発明
　本件補正後の請求項７に係る発明（以下「本願補正発明」という。）は，次のとおりのものと認める。
　「【請求項７】
　通信装置に電力を供給する充電装置用充電端子と，
　前記充電装置用充電端子に入力されたデータ配信サービスを用いてダウンロードされた予め定められた音楽データ若しくは画像データを記憶する記憶回路と，
　前記充電装置用充電端子が前記通信装置の通信装置用充電端子に接続されたことを契機に，前記充電装置用充電端子を介して前記通信装置に電力を供給するとともに，前記充電装置用充電端子に入力されたデータを前記記憶回路に記憶させる充電制御回路と，
　を備え，
　前記充電制御回路は，
　前記通信装置から特定の音楽データ若しくは画像データの読出要求信号を取得すると，要求のあった前記特定の音楽データ若しくは画像データを前記通信装置が視聴可能になるように，前記記憶回路から読み出して前記充電装置用充電端子に出力する
ことを特徴とする充電装置。」
　
（３）引用例の記載と引用発明，及び周知例
　ア　引用例１の記載と引用発明
（ア）原査定の拒絶の理由に引用された，本願の出願日前に日本国内において頒布された刊行物である，特開２００７−１７４４８３号公報（以下「引用例１」という。）には，図１ないし図４とともに，次の記載がある。（当審注．下線は当審において付加した。以下同じ。）
　ａ「【技術分野】
【０００１】
　本発明は，
通信端末の充電器
に関し
・・・
【発明が解決しようとする課題】
・・・
【０００９】
  本発明は，上記の課題を解決するためになされたものであり，
余計な手間やコストをかけることなく容易且つ確実に通信端末内のデータをバックアップすることができ，しかもバックアップしたデータを通信端末に容易且つ確実に反映させることが可能な充電器
を提供することを目的とする
　ｂ「【発明を実施するための最良の形態】
【００１８】
  本発明の最良の実施の形態について図面を参照して以下詳細に説明する。図１は，本発明の実施形態に係わる充電器１０と，該充電器が充電する通信端末２０の構成例を示すブロック図である。
充電器１０は，通信端末接続部１２と，充電回路１４と，ＳＩＭカードリーダライタ１６（データ書込部）とを備える
通信端末接続部１２は，通信端末２０の充電器接続部２２と着脱可能に接続する。通信端末接続部１２は，充電電流を充電回路１４から二次電池２４へ供給する電源ラインと，ＳＩＭカードリーダライタ１６と通信端末２０との間でデータをやり取りするデータラインとを含む
ＳＩＭカードリーダライタ１６は，ＳＩＭカード６０ｂと着脱可能に接続し，通信端末２０のメモリ２６に記憶される所定データ（例えば，電話帳データ，メールデータ，画像データおよび音楽データ）をＳＩＭカード６０ｂへ書き込む
【００１９】
  尚，
ＳＩＭカードリーダライタ１６は
充電器１０側に搭載した制御部（不図示）によって制御される
充電器１０側の制御部がＳＩＭカードリーダライタ１６を制御する場合，この制御部が通信端末２０のメモリ２６に直接アクセスし，あるいは制御部３４に対して所定データを送信する指示を出す。制御部は，取得した所定データをＳＩＭカードリーダライタ１６へ送信する
以下の説明では，通信端末２０側の制御部３４がＳＩＭカードリーダライタ１６を制御する場合を例に挙げる
【００２０】
  ここで，
上記の如き充電器１０に接続されて，二次電池２４が充電され且つメモリ２６内の所定データがＳＩＭカード６０ｂにバックアップされる通信端末２０
通信端末２０は
充電器接続部２２と，二次電池２４と，メモリ２６と
を備える
二次電池２４は，通信端末２０全体に電力を供給するとともに，充電器接続部２２を介して接続される充電回路１４からの充電電流によって充電される
メモリ２６は
データを保存する
データとしては
画像・音楽データ３２
を挙げることができる
制御部３４は，充電器接続部２２を監視して充電器１０が接続されたか否かを判定する
充電器１０が接続された場合，制御部３４は，メモリ２６から読み出した所定データを，ＳＩＭカードリーダライタ１６を介してＳＩＭカード６０ｂへ書き込む
ＳＩＭカードリーダライタ３８は
所定データをＳＩＭカード６０ｂに書き込む制御を行う
ＳＩＭカードリーダライタ３８は，充電器１０によって所定データがバックアップされたＳＩＭカード６０ｂとも接続可能であり，制御部３４はＳＩＭカード６０ｂから読み出した所定データをメモリ２６に展開する
【００２１】
　図２は，本発明の実施形態で使用されるＳＩＭカード６０ａ，６０ｂのフォーマットの一例である。
ＳＩＭカード６０ａ，６０ｂは
ユーザデータ格納部１５２
を備える
ユーザデータ格納部１５２は，利用者が任意にデータを読み出し，書き込むことが可能なエリアである
ユーザデータ格納部１５２には
画像・音楽データ３２
が格納される
　ｃ「【００２３】
　
図４は，充電器１０の動作例を説明するフローチャート
充電器１０は，前述したとおり，通信端末２０の制御部３４によって制御される
ＳＩＭカード６０ｂを充電器１０のＳＩＭカードリーダライタ１６へ接続する
通信端末２０は，バックアップ対象となるデータを決定する
この決定は
特定のデータを強制的に決定することもできる
通信端末２０の制御部３４は，充電器接続部２２に充電器１０が接続したか否かを判定する
充電器１０の接続を検出した場合，制御部３４は，電源ラインを介して充電器１０から入力する充電電流による二次電池２４の充電を開始する
二次電池２４と充電回路１４とが接続した時点で自動的に充電を開始する構成とすることもできる
制御部３４は，ステップＳ１において決定したデータをメモリ２６から読み出す
制御部３４は，読み出したデータを，充電器１０のＳＩＭカードリーダライタ１６に送信する
ＳＩＭカードリーダライタ１６は，受信したデータをＳＩＭカード６０ｂのユーザデータ格納部１５２へ書き込む
【００２４】
　以上説明したように，
本実施形態の充電器１０は，通信端末２０のメモリ２６に格納されている所定データを，ＳＩＭカード６０ｂにバックアップするためのＳＩＭカードリーダライタ１６を備える
その所定データは，充電処理と同時にＳＩＭカード６０ｂにバックアップされる
（イ）引用発明 
　ａ　上記（ア）ｂより，引用例１には，充電器１０が，充電電流を充電回路１４から通信端末２０の二次電池２４へ供給する電源ラインと，ＳＩＭカードリーダライタ１６と通信端末２０との間でデータをやり取りするデータラインとを含む通信端末接続部１２，及びＳＩＭカード６０ｂが接続されたＳＩＭカードリーダライタ１６を備えることが記載されていると認められる。
　ｂ　上記（ア）ｂ及びｃより，引用例１には，充電器１０が通信端末２０の制御部３４によって制御されて，通信端末接続部１２を，通信端末２０の充電器接続部２２に接続したことを検出した場合，通信端末２０の二次電池２４の充電処理と同時に，画像・音楽データ３２が保存された通信端末２０のメモリ２６から，強制的に決定した特定のデータをＳＩＭカードリーダライタ１６に送信し，ＳＩＭカード６０ｂへ書き込み，所定データをバックアップするとの動作をすることが記載されていると認められる。
　そして，上記（ア）ｂによれば，引用例１には「ＳＩＭカードリーダライタ１６は，通信端末２０側の制御部３４，あるいは，充電器１０側に搭載した制御部（不図示）によって制御される。・・・尚，以下の説明では，通信端末２０側の制御部３４がＳＩＭカードリーダライタ１６を制御する場合を例に挙げる。」（段落【００１９】）と記載されている。
　そうすると，引用例１には，充電器１０において，充電器１０側に搭載した制御部により，引用例１記載の上記の動作をすることも記載されていると認められる。
　ｃ　上記（ア）ｂのとおり，引用例１には，「ＳＩＭカードリーダライタ３８は，充電器１０によって所定データがバックアップされたＳＩＭカード６０ｂとも接続可能であり，制御部３４はＳＩＭカード６０ｂから読み出した所定データをメモリ２６に展開する。」（段落【００２０】）と記載されている。
　そして，引用例１には，充電器１０側に搭載した制御部に関する上記ｂの記載（段落【００２０】）がある。
　そうすると，引用例１におけるこれらの記載から，引用例１には，充電器１０において，充電器１０側に搭載した制御部により，所定データがバックアップされたＳＩＭカード６０ｂと，通信端末２０のＳＩＭカードリーダライタ３８とを接続し，ＳＩＭカード６０ｂから読み出した所定データを通信端末２０のメモリ２６に展開するようにしたことが記載されていると認められる。
　ｄ　上記ａないしｃより，引用例１には，次の発明（以下「引用発明」という。）が記載されていると認められる。
　「充電電流を充電回路１４から通信端末２０の二次電池２４へ供給する電源ラインと，ＳＩＭカードリーダライタ１６と通信端末２０との間でデータをやり取りするデータラインとを含む通信端末接続部１２と，
　ＳＩＭカード６０ｂが接続されたＳＩＭカードリーダライタ１６と，
　通信端末接続部１２を，通信端末２０の充電器接続部２２に接続したことを検出した場合，通信端末２０の二次電池２４の充電処理と同時に，画像・音楽データ３２が保存された通信端末２０のメモリ２６から，強制的に決定した特定のデータをＳＩＭカードリーダライタ１６に送信し，ＳＩＭカード６０ｂへ書き込み，所定データをバックアップする制御部と，
を備え，
　上記制御部は，
　所定データがバックアップされたＳＩＭカード６０ｂと，通信端末２０のＳＩＭカードリーダライタ３８とを接続し，ＳＩＭカード６０ｂから読み出した所定データを通信端末２０のメモリ２６に展開する
充電器１０。」
　イ　周知例
（ア）周知例１
　本願出願前に日本国内において頒布された刊行物である，特開２００９−１５３７９号公報（以下「周知例１」という。）には，図１及び図２とともに，次の記載がある。
　・「【０００２】
  近年，携帯端末の広まりとともに，携帯端末向けの様々なサービスが開発され，普及している。・・・また，コンテンツ配信サービスも，ユーザの利用が急激に拡大している。このサービスにより，
ユーザは，コンテンツと呼ばれる音楽及び映像等の各種データを，サービスサイトから入手する，すなわち，自分の携帯端末へダウンロードすることが可能である
　・「【００３２】
  −構成−
  図１に，本発明の第１の実施の形態に係るデータ配信システム１０の構成をブロック図形式で示す。図１を参照して，
データ配信システム１０は，携帯端末２０Ａ及び２０Ｂ等の端末
公衆網６０に接続された
音楽配信サイト８０及びその他の通信サービスサイト（図示せず）とを含む
【００３３】
  なお，以下，メールサービスサーバ７０，音楽配信サイト８０，及び図示しないその他の通信サービスサイトを，総称して「サービスサイト」と呼ぶ。また，以下，
サービスサイトからユーザの端末にダウンロードされるデータを，総称して「コンテンツ」
コンテンツは
音楽配信サイト８０からダウンロードされる音楽，等を含む
・・・
【００３８】
 　図２に，携帯端末２０Ａの構成をブロック図形式で示す。・・・
【００３９】
　 図２を参照して，サービス処理部１１２は，図１に示す基地局５０Ａ等の基地局及び公衆網６０を介して，無線インターフェースのエアリンクを行ない，安定的にデータ通信を行なうための通信装置１３０と，
スピーカ等からなる音声出力装置１３２
携帯端末２０Ａと他局との間で送受信されたデータ
を保存するための，不揮発性の記憶装置１３６
表示装置１３８
ダウンロードしたデータを音声出力装置１３２及び表示装置１３８を用いて再生する
　（イ）周知例２
　本願出願前に日本国内において頒布された刊行物である，特開２００３−１５６６４号公報（以下「周知例２」という。）には，図１とともに，次の記載がある。
　「【００２１】
【発明の実施の形態】以下，本発明の実施の形態について，図面を用いて説明する。
（第１の実施の形態）図１は本発明の第１の実施の形態に係る音楽配信端末の構成を示すブロック図である。図１に示す音楽配信端末８ａは，アンテナ１と，無線回路部２と，制御部３ａと，メモリカード読み書き手段４と，メモリカード５と，再生部６と，イヤホンジャック７と，で構成されている。また，外部音響装置１２は，アンテナ９と，無線部１０と，スピーカ１１と，で構成されている。
【００２２】次に，本発明の第１の実施の形態における音楽配信端末の動作を説明する。不図示の
音楽配信サービス事業者が設置した音楽配信元であるサーバからダウンロードする楽曲データは，無線基地局を経由し，無線基地局において無線信号に変換され，アンテナ１で受信される
制御部３ａから出力された楽曲データは，メモリカード読み書き手段４に着脱可能な記憶媒体である，例えばメモリカード５に保存される。メモリカード５に保存された楽曲データは，メモリカード読み書き手段４で読み取られ，制御部３ａに出力される。制御部３ａはメモリカード読み書き手段４からの楽曲データを再生するために，楽曲データを再生部６へ出力する
【００２３】
再生部６は，入力された楽曲データを音楽再生信号に変換し出力する
再生部６から出力された音楽再生信号は，イヤホンジャック７及び制御部３ａに入力される。イヤホンジャック７に不図示のイヤホンを接続することにより，音楽再生信号を音として聴くことができる
（ウ）当該技術分野における周知技術
　上記（ア）及び（イ）から，次の事項は，周知例１及び２にみられるように，本願出願日前，当該技術分野では周知の技術といえる。
　・通信装置において，データ配信サービスを用いて，音楽データ若しくは画像データをダウンロードすること。
　・通信装置において，ダウンロードされた音楽データ若しくは画像データを，通信装置が視聴可能になるように出力すること。
　
（４）本願補正発明と引用発明との対比
　ア　引用発明における「通信端末２０」は，本願補正発明の「通信装置」に相当する。
　そして，引用発明における「通信端末接続部１２」は，「充電電流を充電回路１４から通信端末２０の二次電池２４へ供給する電源ライン」を含むから，本願補正発明の「通信装置に電力を供給する充電装置用充電端子」に相当する。
　イ　引用発明は，「画像・音楽データ３２が保存された通信端末２０のメモリ２６から，強制的に決定した特定のデータをＳＩＭカードリーダライタ１６に送信し，ＳＩＭカード６０ｂへ書き込み，所定データをバックアップする」ものであって，引用発明の「画像・音楽データ３２」は，本願補正発明の「音楽データ若しくは画像データ」に相当するから，引用発明における「強制的に決定した特定のデータ」は，本願補正発明の「予め定められた音楽データ若しくは画像データ」に相当するといえる。
　また，引用発明の「通信端末接続部１２」（本願補正発明の「充電装置用充電端子」に相当。）は，「ＳＩＭカードリーダライタ１６と通信端末２０との間でデータをやり取りするデータライン」を含むから，引用発明における「強制的に決定した特定のデータ」が「通信端末接続部１２」に入力されることは明らかである。
　そして，引用発明における「強制的に決定した特定のデータ」は，「ＳＩＭカード６０ｂが接続されたＳＩＭカードリーダライタ１６」に送信され，「ＳＩＭカード６０ｂ」に書き込まれるから，「ＳＩＭカード６０ｂが接続されたＳＩＭカードリーダライタ１６」は，上記「強制的に決定した特定のデータ」を記憶する記憶回路といえる。
　そうすると，本願補正発明の「記憶回路」と，引用発明の「ＳＩＭカード６０ｂが接続されたＳＩＭカードリーダライタ１６」とは，後述する相違点に係る構成を除き，「前記充電装置用充電端子に入力された」「予め定められた音楽データ若しくは画像データを記憶する記憶回路」である点で共通する。
　ウ　引用発明における「通信端末接続部１２を，通信端末２０の充電器接続部２２に接続したことを検出した場合」とは，「通信端末接続部１２」（本願補正発明の「充電装置用充電端子」に相当。）が「通信端末２０」（本願補正発明の「通信装置」に相当。）の「充電器接続部２２」に接続されたことを契機にしたということができる。
　そして，引用発明の「充電器接続部２２」は，本願補正発明の「通信装置用充電端子」に相当する。
　また，引用発明の「通信端末２０の二次電池２４の充電処理」は，「通信端末接続部１２」に含まれる「充電電流を充電回路１４から通信端末２０の二次電池２４へ供給する電源ライン」を介して「通信端末２０」に電力を供給することといえるから，引用発明における「通信端末２０の二次電池２４の充電処理と同時に」は，本願補正発明の「前記充電装置用充電端子を介して前記通信装置に電力を供給するとともに」に相当する。
　さらに，上記イにおける検討より，引用発明における「画像・音楽データ３２が保存された通信端末２０のメモリ２６から，強制的に決定した特定のデータをＳＩＭカードリーダライタ１６に送信し，ＳＩＭカード６０ｂへ書き込み，所定データをバックアップする」ことから，引用発明は，「前記充電装置用充電端子に入力された」「予め定められた音楽データ若しくは画像データ」を「記憶回路に記憶させる」ものと認められる。
　そうすると，本願補正発明の「充電制御回路」と引用発明の「制御部」とは，後述する相違点に係る構成を除き，「前記充電装置用充電端子が前記通信装置の通信装置用充電端子に接続されたことを契機に，前記充電装置用充電端子を介して前記通信装置に電力を供給するとともに，前記充電装置用充電端子に入力された」「予め定められた音楽データ若しくは画像データ」を「記憶回路に記憶させる」「充電制御回路」である点で共通する。
　エ　引用発明の「ＳＩＭカード６０ｂ」には，「画像・音楽データ３２が保存された通信端末２０のメモリ２６から，強制的に決定した特定のデータ」がバックアップされているから，引用発明で「所定データがバックアップされたＳＩＭカード６０ｂと，通信端末２０のＳＩＭカードリーダライタ３８とを接続し，ＳＩＭカード６０ｂから読み出した所定データを通信端末２０のメモリ２６に展開する」ことは，特定の「画像・音楽データ３２」を「ＳＩＭカード６０ｂ」から読み出すことといえる。
　そして，「ＳＩＭカード６０ｂ」から読み出した，特定の「画像・音楽データ３２」を，「通信端末接続部１２」に含まれる「ＳＩＭカードリーダライタ１６と通信端末２０との間でデータをやり取りするデータライン」に出力することは明らかである。
　そうすると，本願補正発明と引用発明とは，後述する相違点に係る構成を除き，「充電制御回路」が，「特定の音楽データ若しくは画像データを」，「前記記憶回路から読み出して前記充電装置用充電端子に出力する」点で共通する。
　オ　引用発明の「充電器１０」は，後述する相違点に係る構成を除き，本願補正発明の「充電装置」に相当する。
　カ　以上から，本願補正発明と引用発明との一致点と相違点は，次のとおりである。
（ア）一致点
「通信装置に電力を供給する充電装置用充電端子と，
　前記充電装置用充電端子に入力された，予め定められた音楽データ若しくは画像データを記憶する記憶回路と，
　前記充電装置用充電端子が前記通信装置の通信装置用充電端子に接続されたことを契機に，前記充電装置用充電端子を介して前記通信装置に電力を供給するとともに，前記充電装置用充電端子に入力された，予め定められた音楽データ若しくは画像データを前記記憶回路に記憶させる充電制御回路と，
　を備え，
　前記充電制御回路は，
　特定の音楽データ若しくは画像データを，前記記憶回路から読み出して前記充電装置用充電端子に出力する
充電装置。」
（イ）相違点
　・相違点１
　本願補正発明では，「記憶回路」に記憶される「予め定められた音楽データ若しくは画像データ」，及び「充電制御回路」により「記憶回路」に記憶させるデータについて，「データ配信サービスを用いてダウンロードされた」と特定されているのに対し，引用発明では上記の特定はされていない点。
　・相違点２
　「前記充電制御回路は，特定の音楽データ若しくは画像データを，前記記憶回路から読み出して前記充電装置用充電端子に出力する」点について，本願補正発明では，「前記通信装置から特定の音楽データ若しくは画像データの読出要求信号を取得すると，要求のあった前記特定の音楽データ若しくは画像データ」を，「前記通信装置が視聴可能になるように」出力するのに対し，引用発明において上記の特定はされていない点。
　
（５）相違点についての検討
　ア　相違点１について
　上記（３）イより，通信装置において，データ配信サービスを用いて，音楽データ若しくは画像データをダウンロードすることは，本願出願日前，当該技術分野では周知の技術である。
　そうすると，引用発明において，「通信端末接続部１２を，通信端末２０の充電器接続部２２に接続したことを検出した場合，通信端末２０の二次電池２４の充電処理と同時に，画像・音楽データ３２が保存された通信端末２０のメモリ２６から，強制的に決定した特定のデータをＳＩＭカードリーダライタ１６に送信し，ＳＩＭカード６０ｂへ書き込み，所定データをバックアップする」際に，「通信端末２０」の「メモリ２６」に保存する「画像・音楽データ３２」，すなわち「ＳＩＭカードリーダライタ１６に送信し，ＳＩＭカード６０ｂへ書き込」むデータを，「データ配信サービスを用いてダウンロードされた予め定められた音楽データ若しくは画像データ」とすることは，当業者が普通に行い得るものというべきである。
　以上から，相違点１に係る構成は，当業者が普通に行い得るものであって，格別のものとはいえない。
　イ　相違点２について
　上記（３）ア（ア）ｂによれば，引用発明における「画像・音楽データ３２が保存された通信端末２０のメモリ２６から，強制的に決定した特定のデータをＳＩＭカードリーダライタ１６に送信し，ＳＩＭカード６０ｂへ書き込み，所定データをバックアップする制御部」について，引用例１には，「充電器１０側の制御部がＳＩＭカードリーダライタ１６を制御する場合，この制御部が・・・制御部３４に対して所定データを送信する指示を出す。」（段落【００１９】）との記載があり，データの受信側である「充電器１０側の制御部」が，データの送信側である「通信端末２０」側の「制御部３４」に対して「所定データを送信する指示」を出すことが記載されている。
　そうすると，引用発明において，「充電器１０」が備える「制御部」が，「所定データがバックアップされたＳＩＭカード６０ｂと，通信端末２０のＳＩＭカードリーダライタ３８とを接続し，ＳＩＭカード６０ｂから読み出した所定データ（本願補正発明の「特定の音楽データ若しくは画像データ」に相当。）を通信端末２０のメモリ２６に展開する」場合に，データの受信側である「通信端末２０」側の「制御部３４」が，データの送信側である上記「制御部」に対して所定データを送信する指示を出すようにすること，すなわち，上記「制御部」が「通信端末２０」から所定データの読出要求信号を取得するようにすることは，引用例１の上記の記載に基づいて，当業者が容易に想到し得たものといえる。
　そして，上記「制御部」が「通信端末２０」から所定データの読出要求信号を取得した場合に，所定データとして，要求のあった特定の音楽データ若しくは画像データを読み出すことは，当業者が当然に行い得るものであり，また，上記特定の音楽データ若しくは画像データを「通信端末２０」が視聴可能になるように出力することは，上記（３）イより，当該技術分野では周知の技術である。
　以上から，引用発明において，相違点２に係る構成とすることは，引用例１の記載，並びに周知例１及び２にみられるような周知技術に基づいて，当業者が容易に想到し得たものであり，格別のものとはいえない。
　
（６）本願補正発明の作用効果について
　本願明細書の記載によれば，従来技術では，充電のための動作に加えて，何らかの動作を行なわなければならなかったり，充電が終了した後にデータのバックアップを行なう必要があり，通信装置に格納されているデータのバックアップが簡素でないという問題があった（段落【０００８】，【０００９】）ので，本願に係る発明は，上記の課題を解決し，通信装置のデータのバックアップを簡素にするようにした（段落【００１０】）との作用効果を奏するものである。
　しかし，上記（３）ア（ア）ａより，引用発明は，余計な手間やコストをかけることなく容易且つ確実に通信端末内のデータをバックアップすることができ，しかもバックアップしたデータを通信端末に容易且つ確実に反映させることが可能な充電器を提供するとの目的を達成したものと認められるから，本願補正発明と引用発明との間に，作用効果上，格別の相違があるとは認められない。
　そうすると，本願補正発明が奏する作用効果は，格別のものとはいえない。
　
（７）まとめ 
　本件補正後の請求項７に係る発明（本願補正発明）は，引用例１記載の発明（引用発明），並びに周知例１及び２にみられるような周知技術に基づいて，当業者が容易に発明をすることができたものであり，特許法第２９条第２項の規定により，特許出願の際独立して特許を受けることができないものである。 
  
５　むすび 
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。 
　 
第３　本願発明の容易想到性について
　
１　本願発明について 
　平成２６年１月２１日に提出された手続補正書による手続補正は前記のとおり却下されたので，本願の請求項７に係る発明（以下「本願発明」という。）は，平成２５年１月１１日付け手続補正書の特許請求の範囲の請求項７に記載された事項により特定される，次のとおりのものと認める。 
 「【請求項７】
　通信装置に電力を供給する充電装置用充電端子と，
　前記充電装置用充電端子に入力されたデータを記憶する記憶回路と，
　前記充電装置用充電端子が前記通信装置の通信装置用充電端子に接続されたことを契機に，前記充電装置用充電端子を介して前記通信装置に電力を供給するとともに，前記充電装置用充電端子に入力されたデータを前記記憶回路に記憶させる充電制御回路と，
　を備え，
　前記充電制御回路は，
　前記通信装置から特定の音楽データ若しくは画像データの読出要求信号を取得すると，要求のあった前記特定の音楽データ若しくは画像データを前記通信装置が視聴可能になるように，前記記憶回路から読み出して前記充電装置用充電端子に出力する
ことを特徴とする充電装置。」
　
２　引用例１の記載と引用発明 
　引用例１の記載は，前記第２の４（３）ア（ア）のとおりであり，引用発明は，前記第２の４（３）ア（イ）で認定したとおりである。 
　
３　本願発明と引用発明との対比 
　前記第２の１及び２から明らかなように，本願発明は，本願補正発明から，平成２６年１月２１日に提出された手続補正書による補正事項（前記第２の２参照。）に係る技術的限定を取り除いたものである。
　そして，上記補正事項に係る技術的限定は，本願補正発明と引用発明との相違点１に係る構成を含むものである。
　そうすると，前記第２の４（４）より，本願発明と引用発明との一致点と相違点は，次のとおりであると認められる。 
　・一致点
「通信装置に電力を供給する充電装置用充電端子と，
　前記充電装置用充電端子に入力されたデータを記憶する記憶回路と，
　前記充電装置用充電端子が前記通信装置の通信装置用充電端子に接続されたことを契機に，前記充電装置用充電端子を介して前記通信装置に電力を供給するとともに，前記充電装置用充電端子に入力された，予め定められた音楽データ若しくは画像データを前記記憶回路に記憶させる充電制御回路と，
　を備え，
　前記充電制御回路は，
　特定の音楽データ若しくは画像データを，前記記憶回路から読み出して前記充電装置用充電端子に出力する
充電装置。」
　・相違点
　「前記充電制御回路は，特定の音楽データ若しくは画像データを，前記記憶回路から読み出して前記充電装置用充電端子に出力する」点について，本願発明では，「前記通信装置から特定の音楽データ若しくは画像データの読出要求信号を取得すると，要求のあった前記特定の音楽データ若しくは画像データ」を，「前記通信装置が視聴可能になるように」出力するのに対し，引用発明において上記の特定はされていない点。
 
４　相違点についての検討 
　本願発明と引用発明との相違点は，本願補正発明と引用発明との相違点２と同一である。 
　そして，前記第２の４（５）イで検討したとおり，本願補正発明と引用発明との相違点２は，引用発明において，引用例１の記載，並びに周知例１及び２にみられるような周知技術に基づいて，当業者が容易に想到し得たものである。
　そうすると，本願補正発明と引用発明との相違点２と同一である，本願発明と引用発明との相違点も，引用発明において，引用例１の記載，並びに周知例１及び２にみられるような周知技術に基づいて，当業者が容易に想到し得たものであり，格別なものとはいえない。 
　また，前記第２の４（６）の理由により，本願発明と引用発明との間に，作用効果上，格別の相違があるとは認められないから，本願発明が奏する作用効果は，格別のものとはいえない。
 
５　まとめ 
　以上のとおり，本願の請求項７に係る発明（本願発明）は，引用例１記載の発明（引用発明），並びに周知例１及び２にみられるような周知技術に基づいて，当業者が容易に発明をすることができたものであり，特許法第２９条第２項の規定により，特許を受けることができないものである。
　
第４　結言 
　 
　以上検討したとおり，本願の請求項７に係る発明は，特許法第２９条第２項の規定により特許を受けることができないから，その余の請求項について検討するまでもなく，本願は拒絶されるべきものである。 
　
　よって，結論のとおり審決する。